(57)【要約】【課題】用紙などの記録材に形成された画像の品質の判定の信頼性を向上できる検査装置を提供する。【解決手段】記録材上に形成された画像を読み取って読取画像データを生成する読取部と、記録材に画像を形成する際に確定される画像形成条件を取得する取得部と、取得部により取得した画像形成条件に基づいて、読取画像データを検査するための検査項目を決定する決定部と、決定部により決定した検査項目に基づいて、読取画像データを検査する検査部と、を有する検査装置。【選択図】図１
2019168731.tif 000002
【特許請求の範囲】
【請求項１】
記録材上に形成された画像を読み取って読取画像データを生成する読取部と、
前記記録材に画像を形成する際に確定される画像形成条件を取得する取得部と、
前記取得部により取得した前記画像形成条件に基づいて、前記読取画像データを検査するための検査項目を決定する決定部と、
前記決定部により決定した前記検査項目に基づいて、前記読取画像データを検査する検査部と、
を有する検査装置。
【請求項２】
前記画像形成条件は、画像形成に色彩を用いるか否かを示すカラーモードである請求項１に記載の検査装置。
【請求項３】
前記画像形成条件は、前記記録材表面における色材の占める割合を示す印字率である請求項１に記載の検査装置。
【請求項４】
前記画像形成条件は、前記画像を形成するための原画像データをラスタライズ処理することによって確定される請求項１〜３のいずれか一項に記載の検査装置。
【請求項５】
記録材上に画像を形成する画像形成部と、
前記記録材上に形成された前記画像を読み取って読取画像データを生成する読取部と、
前記記録材に画像を形成する際に確定される画像形成条件を取得する取得部と、
前記取得部により取得した前記画像形成条件に基づいて、前記読取画像データを検査するための検査項目を決定する決定部と、
前記決定部により決定した前記検査項目に基づいて、前記読取画像データを検査する検査部と、
を有する画像形成装置。
【請求項６】
前記画像形成条件は、画像形成に色彩を用いるか否かを示すカラーモードである請求項５に記載の画像形成装置。
【請求項７】
前記画像形成条件は、前記記録材表面における色材の占める割合を示す印字率である請求項５に記載の画像形成装置。
【請求項８】
前記画像形成条件は、前記画像を形成するための原画像データをラスタライズ処理することによって確定される請求項５〜７のいずれか一項に記載の画像形成装置。
【請求項９】
請求項５〜８のいずれか一項に記載の画像形成装置を複数台含む画像形成装置群と、
前記画像形成装置群を管理するサーバーと、
を有し、
前記サーバーは、
各前記画像形成装置の前記検査部による前記読取画像データの検査結果、および、当該検査結果に係る画像の前記画像形成条件を対応づけて、検査履歴を作成する履歴作成部と、
新規な画像形成に係る新規な画像形成条件を取得し、前記新規な画像形成条件により画像形成を行った場合に最も良い検査結果が得られる画像形成装置を、前記検査履歴に基づいて、選択する選択部と、
前記選択部により選択された画像形成装置に、前記新規な画像形成条件による画像形成を指示する制御部と、
を有する画像形成システム。
【請求項１０】
前記選択部は、前記検査履歴に基づいて、前記新規な画像形成条件と同一の条件により画像形成を行ったことのある画像形成装置のうち、不良の検査結果の頻度が最も低い画像形成装置を、最も良い検査結果が得られる画像形成装置として選択する請求項９に記載の画像形成システム。
【請求項１１】
前記選択部は、前記検査履歴に基づいて、前記新規な画像形成条件と同一の条件により画像形成を行ったことのある画像形成装置のうち、直近の検査結果に不良のない画像形成装置を、最も良い検査結果が得られる画像形成装置として選択する請求項９または１０に記載の画像形成システム。
【請求項１２】
前記選択部は、前記検査履歴に基づいて、前記新規な画像形成条件と同一の条件により画像形成を行ったことがあり、かつ、検査結果に不良のない画像形成装置のうち、最新の履歴を有する画像形成装置を、最も良い検査結果が得られる画像形成装置として選択する請求項９〜１１のいずれか一項に記載の画像形成システム。
【請求項１３】
記録材上に形成された画像を読み取って読取画像データを生成する手順（ａ）と、
前記記録材に画像を形成する際に確定される画像形成条件を取得する手順（ｂ）と、
前記手順（ｂ）により取得した前記画像形成条件に基づいて、前記読取画像データを検査するための検査項目を決定する手順（ｃ）と、
前記手順（ｃ）により決定した前記検査項目に基づいて、前記読取画像データを検査する手順（ｄ）と、
をコンピュータに実行させるための検査プログラム。
【発明の詳細な説明】
【技術分野】
【０００１】
本発明は、検査装置、画像形成装置、画像形成システム、検査プログラムに関する。
【背景技術】
【０００２】
画像形成装置により用紙などの記録材上に形成された画像を、画像形成装置または後処理装置に備えられるインラインセンサーなどにより読み取って、画像の品質を判定する検査技術がある。
【０００３】
これに関連して、下記特許文献１には、原画像のＰＤＬ（ｐａｇｅ  ｄｅｓｃｒｉｐｔｉｏｎ  ｌａｎｇｕａｇｅ）データから画像の種類を判別し、判別した画像の種類に基づいて検査項目を決定し、画像の品質を判定する技術が提案されている。この技術によれば、画像の種類に基づいて不必要な検査項目を取り除くことができるため、画像の品質を判定する際の処理負担を低減できる。
【先行技術文献】
【特許文献】
【０００４】
【特許文献１】特開２０１３−１１１９４６号公報
【発明の概要】
【発明が解決しようとする課題】
【０００５】
しかしながら、上記の技術では、原画像のＰＤＬデータから判別できる画像の種類、すなわち、印刷前から確定される情報に基づいて、画像の品質の判定に用いる検査項目を決定する。印刷前から確定される情報のみを用いるため、たとえば、原画像のＰＤＬデータからカラーの情報を含むデータが判別されれば、実際の印刷時にカラー印刷が設定されようがモノクロ印刷が設定されようが、検査項目の一つとして「カラーの色再現」が決定されてしまう。
【０００６】
モノクロ印刷に対して、「カラーの色再現」を検査するのでは、印刷後の画像の品質を正しく判定できない。このように、上記の技術では、印刷前から確定される情報のみに基づいて検査項目を決定するため、画像品質の判定の信頼性が低いという問題がある。
【０００７】
本発明は、上述した問題を解決するためになされたものであり、画像品質の判定の信頼性が高い検査装置、画像形成装置、画像形成システム、検査プログラムを提供することを目的とする。
【課題を解決するための手段】
【０００８】
（１）記録材上に形成された画像を読み取って読取画像データを生成する読取部と、前記記録材に画像を形成する際に確定される画像形成条件を取得する取得部と、前記取得部により取得した前記画像形成条件に基づいて、前記読取画像データを検査するための検査項目を決定する決定部と、前記決定部により決定した前記検査項目に基づいて、前記読取画像データを検査する検査部と、を有する検査装置。
【０００９】
（２）前記画像形成条件は、画像形成に色彩を用いるか否かを示すカラーモードである上記（１）に記載の検査装置。
【００１０】
（３）前記画像形成条件は、前記記録材表面における色材の占める割合を示す印字率である上記（１）に記載の検査装置。
【００１１】
（４）前記画像形成条件は、前記画像を形成するための原画像データをラスタライズ処理することによって確定される上記（１）〜（３）のいずれか一つに記載の検査装置。
【００１２】
（５）記録材上に画像を形成する画像形成部と、前記記録材上に形成された前記画像を読み取って読取画像データを生成する読取部と、前記記録材に画像を形成する際に確定される画像形成条件を取得する取得部と、前記取得部により取得した前記画像形成条件に基づいて、前記読取画像データを検査するための検査項目を決定する決定部と、前記決定部により決定した前記検査項目に基づいて、前記読取画像データを検査する検査部と、を有する画像形成装置。
【００１３】
（６）前記画像形成条件は、画像形成に色彩を用いるか否かを示すカラーモードである上記（５）に記載の画像形成装置。
【００１４】
（７）前記画像形成条件は、前記記録材表面における色材の占める割合を示す印字率である上記（５）に記載の画像形成装置。
【００１５】
（８）前記画像形成条件は、前記画像を形成するための原画像データをラスタライズ処理することによって確定される上記（５）〜（７）のいずれか一つに記載の画像形成装置。
【００１６】
（９）上記（５）〜（８）のいずれか一つに記載の画像形成装置を複数台含む画像形成装置群と、前記画像形成装置群を管理するサーバーと、を有し、前記サーバーは、各前記画像形成装置の前記検査部による前記読取画像データの検査結果、および、当該検査結果に係る画像の前記画像形成条件を対応づけて、検査履歴を作成する履歴作成部と、新規な画像形成に係る新規な画像形成条件を取得し、前記新規な画像形成条件により画像形成を行った場合に最も良い検査結果が得られる画像形成装置を、前記検査履歴に基づいて、選択する選択部と、前記選択部により選択された画像形成装置に、前記新規な画像形成条件による画像形成を指示する制御部と、を有する画像形成システム。
【００１７】
（１０）前記選択部は、前記検査履歴に基づいて、前記新規な画像形成条件と同一の条件により画像形成を行ったことのある画像形成装置のうち、不良の検査結果の頻度が最も低い画像形成装置を、最も良い検査結果が得られる画像形成装置として選択する上記（９）に記載の画像形成システム。
【００１８】
（１１）前記選択部は、前記検査履歴に基づいて、前記新規な画像形成条件と同一の条件により画像形成を行ったことのある画像形成装置のうち、直近の検査結果に不良のない画像形成装置を、最も良い検査結果が得られる画像形成装置として選択する上記（９）または（１０）に記載の画像形成システム。
【００１９】
（１２）前記選択部は、前記検査履歴に基づいて、前記新規な画像形成条件と同一の条件により画像形成を行ったことがあり、かつ、検査結果に不良のない画像形成装置のうち、最新の履歴を有する画像形成装置を、最も良い検査結果が得られる画像形成装置として選択する上記（９）〜（１１）のいずれか一つに記載の画像形成システム。
【００２０】
（１３）記録材上に形成された画像を読み取って読取画像データを生成する手順（ａ）と、前記記録材に画像を形成する際に確定される画像形成条件を取得する手順（ｂ）と、前記手順（ｂ）により取得した前記画像形成条件に基づいて、前記読取画像データを検査するための検査項目を決定する手順（ｃ）と、前記手順（ｃ）により決定した前記検査項目に基づいて、前記読取画像データを検査する手順（ｄ）と、をコンピュータに実行させるための検査プログラム。
【発明の効果】
【００２１】
本発明に係る検査装置、画像形成装置、画像形成システム、検査プログラムによれば、画像形成時に確定される画像形成条件に基づいて検査項目を決定するため、用紙などの記録材に形成された画像の品質の判定の信頼性を向上できる。
【図面の簡単な説明】
【００２２】
【図１】画像形成装置の概略構成の一例を示す図である。
【図２】画像形成本体のハードウェア構成の一例を示すブロック図である。
【図３】検査装置のハードウェア構成の一例を示すブロック図である。
【図４】画像形成条件を分類して表示した例を示す図である。
【図５】読取画像データの検査に用いられる検査項目の一覧を示す図である。
【図６】画像形成装置の動作フローチャートである。
【図７】画像形成装置により画像の品質を判定するイメージを示す図である。
【図８】検査項目決定処理の手順を示すフローチャートである。
【図９】「低印字率」の画像形成条件が含まれる場合、読取画像データを検査した検    査結果の例を示す図である。
【図１０】「モノクロ印刷」の画像形成条件が含まれる場合、読取画像データを検査    した検査結果の例を示す図である。
【図１１】画像形成システムの概略構成の一例を示す図である。
【図１２】サーバーのハードウェア構成の一例を示すブロック図である。
【図１３】検査結果履歴のイメージを示す図である。
【図１４】サーバーの動作フローチャートである。
【図１５】サーバーにより各画像形成装置を選択するイメージを示す図である。
【発明を実施するための形態】
【００２３】
以下、添付した図面を参照して、本発明の実施形態を詳細に説明する。図面の説明において同一の要素には同一の符号を付し、重複する説明を省略する。図面の寸法比率は、説明の都合上誇張されており、実際の比率とは異なる場合がある。
【００２４】
〔第１実施形態〕
（画像形成装置の構成）
図１は、画像形成装置の概略構成の一例を示す図である。画像形成装置１０は、給紙装置１００、画像形成本体２００および検査装置３００を有する。
【００２５】
給紙装置１００は、用紙を画像形成本体２００に供給する。給紙装置１００は、複数の給紙カセットを有し、各カセットには、それぞれ異なる特性（種類、サイズ等）を有する用紙が格納されうる。
【００２６】
画像形成本体２００は、給紙装置１００から供給される用紙上に画像を形成する。ただし、これに限らず、画像形成本体２００は、たとえば、画像形成本体２００内に組み込まれた給紙トレイから供給される用紙上に画像を形成してもよい。
【００２７】
検査装置３００は、画像形成本体２００により用紙上に形成された画像を読み取って読取画像データを生成し、読取画像データを検査して検査結果を生成する。
【００２８】
画像形成本体２００および検査装置３００の構成について、以下により詳細に説明する。
【００２９】
（画像形成本体２００）
図２は、画像形成本体２００のハードウェア構成の一例を示すブロック図である。画像形成本体２００は、制御部２１０、記憶部２２０、通信部２３０および画像形成部２４０を有し、これらは信号をやり取りするためのバスを介して相互に接続されている。
【００３０】
制御部２１０は、たとえば、ＣＰＵ（Ｃｅｎｔｒａｌ  Ｐｒｏｃｅｓｓｉｎｇ  Ｕｎｉｔ）であり、プログラムに従って上記各構成要素の制御や各種の演算処理を実行する。画像形成本体２００の各機能は、それに対応するプログラムを制御部２１０が実行することにより発揮される。
【００３１】
記憶部２２０は、予め各種プログラムや各種データを格納しておくＲＯＭ（Ｒｅａｄ  Ｏｎｌｙ  Ｍｅｍｏｒｙ）、作業領域として一時的にプログラムやデータを記憶するＲＡＭ（Ｒａｎｄｏｍ  Ａｃｃｅｓｓ  Ｍｅｍｏｒｙ）、各種プログラムや各種データを格納するハードディスク等からなる。
【００３２】
通信部２３０は、ネットワークを介し他の装置（たとえば、クライアント端末装置や検査装置など）と通信するためのインターフェースである。通信には、イーサネット（登録商標）、Ｗｉ−Ｆｉ、ＦＤＤＩ、トークンリング等の規格が用いられる。
【００３３】
画像形成部２４０は、図１に示すように、像担持体として、感光体ドラム（Ｙ、Ｍ、Ｃ、Ｋ）および中間転写ベルトＢが用いられる。中間転写ベルトＢは、無端ベルトであり、複数のローラーにより走行可能に支持される。感光体ドラムに形成された各色のトナー像は、中間転写ベルトＢ上に逐次転写され、各色の層が重畳したトナー像（カラー画像）が中間転写ベルトＢ上に形成される。そして、トナーと逆極性のバイアスを転写ローラーに印加することにより、中間転写ベルトＢ上に形成されたトナー像は用紙上に転写され、その後、定着部Ｔにより定着される。
【００３４】
画像形成本体２００は、また、各種情報の表示や各種指示の入力に使用できるタッチパネル、テンキー、スタート／ストップボタンなどを備える操作パネル等その他の構成を有してもよい。画像形成本体２００は、画像形成機能に加え、コピー機能、スキャン機能、ファクシミリ機能等を有するＭＦＰ（Ｍｕｌｔｉ−Ｆｕｎｃｔｉｏｎ  Ｐｅｒｉｐｈｅｒａｌ）を構成できる。
【００３５】
上記画像形成本体２００において、制御部２１０は、たとえば、クライアント端末装置から原画像データ及びユーザーにより設定される各種の印刷設定情報を受付ける。制御部２１０は、また、各種の印刷設定情報および画像形成装置１０の実現できる機能に応じて、原画像データをラスタライズ（ＲＩＰ）処理する。制御部２１０は、さらに、各種の印刷設定情報やＲＩＰ処理後のラスタライズデータに基づいて画像形成条件を確定し、確定した画像形成条件で用紙上に画像を形成するように画像形成部２４０を制御する。確定した画像形成条件は、記憶部２２０に記憶される。確定した画像形成条件は、また、通信部２３０を介して検査装置３００に送信される。画像形成条件の詳細については、後述する。
【００３６】
（検査装置３００）
図３は、検査装置３００のハードウェア構成の一例を示すブロック図である。検査装置３００は、制御部３１０、記憶部３２０、通信部３３０および撮像部３４０を有し、これらは信号をやり取りするためのバスを介して相互に接続されている。なお、記憶部３２０および通信部３３０は、画像形成本体２００の記憶部２２０および通信部２３０と同様の機能を有するので、説明の重複を避けるため、これらの説明を省略する。
【００３７】
制御部３１０は、プログラムに従って上記各構成要素の制御や各種の演算処理等を実行する。制御部３１０は、読取部として、撮像部３４０を制御して用紙上に形成された画像を読み取って読取画像データを生成する。読取画像データは、記憶部３２０に記憶される。
【００３８】
撮像部３４０は、制御部３１０の指示に従い、用紙上に形成された画像を撮像する。撮像部３４０は、たとえば、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）などの素子を使用したラインセンサーやエリアセンサーを用いる。
【００３９】
上記検査装置３００において、制御部３１０は、取得部として、画像形成本体２００により用紙上に画像を形成する際に確定される画像形成条件を取得する。
【００４０】
制御部３１０は、また、決定部として、画像形成本体２００から取得した画像形成条件に基づいて、読取画像データを検査するための検査項目を決定する。検査項目および検査項目を決定する方法の詳細については、後述する。
【００４１】
制御部３１０は、さらに、検査部として、決定した検査項目に基づいて、読取画像データを検査し、検査結果を生成する。検査結果は、通信部３３０を介して画像形成本体２００またはその他の装置に送信され、画像品質の判定に用いられる。
【００４２】
以上のように構成される画像形成装置１０は、画像形成本体２００により用紙上に画像を形成し、検査装置３００により用紙上に形成された画像を読み取って読取画像データを生成し、読取画像データを検査して検査結果を生成する。また、読取画像データの検査に用いる検査項目は、画像形成時に確定される画像形成条件に基づいて決定される。
【００４３】
次に、画像形成条件および検査項目について詳細に説明する。
【００４４】
（画像形成条件）
図４は、画像を形成する際に確定される画像形成条件を分類して表示した例を示す図である。画像形成条件は、ユーザーにより設定される各種の印刷設定情報および画像形成装置１０の実現できる機能などにより確定される。画像形成条件は、たとえば、「カラーモード」、「印字率」、「用紙情報」、「スクリーン情報」などに分類できる。
【００４５】
「カラーモード」とは、「カラー印刷」、「モノクロ印刷」、「モノカラー（２色）印刷」などといった印刷時において使用するカラーの情報のことを指す。すなわち、「カラーモード」は、画像形成時に色彩を用いるか否かを示す画像形成条件である。たとえば、ユーザーはクライアント端末装置から原画像データの印刷を指示する際に、印刷設定情報として「カラー印刷」を設定できる。画像形成本体２００は、当該印刷設定情報から画像形成条件の一つとして「カラー印刷」を確定できる。ただし、これに限らず、画像形成本体２００は、原画像のＰＤＬデータをＲＩＰ処理した後のラスタライズデータの種類の数から「カラーモード」を確定してもよい。たとえば、ＲＩＰ処理後のラスタライズデータが１種類（Ｋのみ）である場合、画像形成本体２００は、画像形成条件の一つとして「モノクロ印刷」を確定できる。また、ＲＩＰ処理後のラスタライズデータが４種類（Ｙ、Ｍ、Ｃ、Ｋ）である場合、画像形成本体２００は、画像形成条件の一つとして「カラー印刷」を確定できる。
【００４６】
「印字率」とは、「低印字率」、「高印字率」といった印字される用紙全体の面積に対して印字部分（トナー、インキ等の色材が印字されるドット）の積算面積が占める比率のことを指す。すなわち、「印字率」は、用紙表面における色材の占める割合を示す画像形成条件である。たとえば、用紙全体の面積の１０％以下に印字される場合、画像形成本体２００は、画像形成条件の一つとして「低印字率」を確定できる。画像形成本体２００は、原画像のＰＤＬデータをＲＩＰ処理した後のラスタライズデータから「印字率」を算出できる。ただし、これに限らず、画像形成本体２００は、専用のソフトウェアを利用して「印字率」を算出できる。
【００４７】
また、「用紙情報」とは、紙種、坪量、厚さ、白色度などの印刷する用紙の持つ特性のことを指し、「スクリーン情報」とは、印刷時に使用されるスクリーン（網点）の特徴のことを指す。特に、ＡＭスクリーン（振幅変調）の場合は、角度や線数、網点形状を指し、ＦＭスクリーン（周波数変調）の場合は、周波数特性などを指す。これらの画像形成条件も、実際の画像形成時にユーザーにより設定される各種の印刷設定情報や原画像のＰＤＬデータのＲＩＰ処理後のラスタライズデータから求められる。
【００４８】
画像形成条件が確定されれば、制御部２１０は、確定した画像形成条件に基づいて画像を形成するように画像形成部２４０を制御する。
【００４９】
（検査項目）
図５は、読取画像データの検査に用いられる検査項目の一覧を示す図である。検査項目は、たとえば、「色再現」、「ノイズ」、「位置」、「欠損」などに分類できる。これらの検査項目は、たとえば、記憶部３２０に予め記憶されている。
【００５０】
「色再現」には、「カラーの色再現」、「モノクロの色再現」を含む。「カラーの色再現」とは、原画像データの各画素の色の読取画像データの各画素での各色のトナーによる再現性をいう。たとえば、カラー印刷された写真などの原画像に対しては「カラーの色再現」は重要な検査項目となる。一方、もっぱら情報伝達を目的とする文字のみからなる原画像に対しては、「カラーの色再現」は検査する必要がない場合が多い。「モノクロの色再現」とは、原画像データの各画素のブラック色の濃度の読取画像データの各画素でのトナーによる再現性をいう。たとえば、モノクロ印刷された写真などの原画像に対しては「モノクロの色再現」は重要な検査項目となる。同様に、もっぱら情報伝達を目的とする文字のみからなる原画像に対しては、「モノクロの色再現」は検査する必要がない場合が多い。
【００５１】
「ノイズ」には、「スジ」、「スポット」、「汚れ」などを含む。また、「位置」には、「印字位置精度」を含み、「欠損」には、「文字欠損」、「画像欠損」などを含む。
【００５２】
第１実施形態に係る画像形成装置１０は、用紙上に画像を形成する際に確定される画像形成条件に基づいて、図５に示す検査項目から不必要な検査項目を除去して、読取画像データを検査する。
【００５３】
（画像形成装置の動作）
図６は、画像形成装置１０の動作フローチャートである。図７は、画像形成装置１０により画像の品質を判定するイメージを示す図である。以下、図７を参照しながら、図６の動作フローチャートに基づいて、画像形成装置１０の動作を詳細に説明する。
【００５４】
まず、制御部２１０は、原画像データ及び印刷設定情報を受付ける（ステップＳ１０１）。制御部２１０は、たとえば、図７に示すように、クライアント端末装置から原画像のＰＤＬデータ及びユーザーにより設定される各種の印刷設定情報を受付ける。ただし、これに限らず、制御部２１０は、画像形成装置１０の有するスキャン機能により原画像データを受付け、操作パネルを介してユーザーから各種の印刷設定情報を受付けることもできる。
【００５５】
続いて、制御部２１０は、ステップＳ１０１で受付けた原画像データに対してラスタライズ（ＲＩＰ）処理を行う（ステップＳ１０２）。具体的には、制御部２１０は、受付けた印刷設定情報および画像形成装置１０の実現可能な機能に応じて、原画像データに対してＲＩＰ処理を行う。制御部２１０は、たとえば、印刷設定情報として「カラー印刷」を受付け、かつ、画像形成装置１０が多色（たとえば、Ｙ、Ｍ、Ｃ、Ｋ）のカラー印刷を実現できる場合、各色に対応するラスタライズデータを生成する。また、制御部２１０は、印刷設定情報として「モノクロ印刷」を受付けるか、または画像形成装置１０が単色（Ｋ）のモノクロ印刷のみ実現できる場合、単色に対応するラスタライズデータを生成する。
【００５６】
続いて、制御部２１０は、画像形成部２４０により用紙上に原画像データに基づく画像を形成するための画像形成条件を確定する（ステップＳ１０３）。具体的には、制御部２１０は、受付けた印刷設定情報やステップＳ１０２で生成したラスタライズデータに基づいて、画像形成条件を確定する。制御部２１０は、たとえば、ラスタライズデータが単色の１種類のみである場合、画像形成条件として「モノクロ印刷」を確定する。また、制御部２１０は、ラスタライズデータが多色の多種類である場合、画像形成条件として「カラー印刷」を確定する。なお、制御部２１０は、受付けた印刷設定情報から「カラーモード」を確定することもできる。制御部２１０は、また、ラスタライズデータを解析して、「低印字率」または「高印字率」を確定する。たとえば、ラスタライズデータにおける各画素の値から当該画素に印字が有るか否かを判断し、印字がある画素の数を積算し、積算値を全画素の数で除算することにより「印字率」を確定できる。なお、制御部２１０は、専用のソフトフェアによっても「印字率」を確定できる。このほか、制御部２１０は、受付けた印刷設定情報などから「用紙情報」や「スクリーン情報」などに関する画像形成条件を確定する。確定される画像形成条件は、記憶部２２０に記憶される。
【００５７】
続いて、制御部２１０は、画像形成部２４０を制御して、給紙装置１００から供給された用紙上に画像を形成する（ステップＳ１０４）。具体的には、制御部２１０は、画像形成部２４０を制御して、ステップＳ１０３で確定された画像形成条件により用紙上に原画像に基づく画像を形成させる。画像形成された用紙は、検査装置３００に搬送される。
【００５８】
続いて、検査装置３００の制御部３１０は、読取画像データを生成する（ステップＳ１０５）。具体的には、制御部３１０は、読取部として、撮像部３４０を制御して用紙上に形成された画像を読み取って読取画像データを生成する。制御部３１０は、また、読取画像データに対して、シェーディング補正やフィルタリング（たとえば、雑音除去）などの画像処理を施すことができる。
【００５９】
続いて、制御部３１０は、読取画像データを検査するための検査項目を決定する（ステップＳ１０６）。具体的には、制御部３１０は、図７に示すように、用紙上に画像を形成する際に確定される画像形成条件を取得し、取得した画像形成条件に基づいて、図５に示すような検査項目から不必要な検査項目を除去する。検査項目決定処理の詳細については、後述する。
【００６０】
続いて、制御部３１０は、ステップＳ１０６で決定した検査項目に基づいて、読取画像データを検査する（ステップＳ１０７）。制御部３１０は、たとえば、原画像データと読取画像データとを比較処理し、各検査項目の品質を判定した検査結果を生成する。
【００６１】
続いて、制御部３１０は、ステップＳ１０７で生成した検査結果を出力する（ステップＳ１０８）。制御部３１０は、たとえば、図７に示すように、検査結果を画像形成本体２００にフィードバックする。画像形成本体２００では、たとえば、操作パネルに検査装置３００による検査結果を表示する。ただし、これに限らず、制御部３１０は、通信部３３０を介して検査結果をその他の装置に送信することもできる。
【００６２】
（検査項目決定処理）
次に、検査項目決定処理（ステップＳ１０６）について詳細に説明する。
【００６３】
図８は、検査項目決定処理の手順を示すフローチャートである。図９は、「低印字率」の画像形成条件が含まれる場合、読取画像データを検査した検査結果の例を示す図である。図１０は、「モノクロ印刷」の画像形成条件が含まれる場合、読取画像データを検査した検査結果の例を示す図である。
【００６４】
まず、制御部３１０は、全検査項目を取得する（ステップＳ２０１）。制御部３１０は、たとえば、予め記憶部３２０に記憶されている検査項目の全てを読み出す。ただし、これに限らず、制御部３１０は、その他の外部装置から検査項目を取得することもできる。
【００６５】
続いて、制御部３１０は、ステップＳ１０３で確定した画像形成条件を取得する（ステップＳ２０２）。具体的には、制御部３１０は、通信部３３０を介して画像形成本体２００と通信することにより、画像形成本体２００の記憶部２２０に記憶された画像形成条件を取得する。なお、画像形成条件は、ステップＳ１０３で画像形成条件を確定した後、制御部３１０が通信部３３０を介して画像形成本体２００から画像形成条件を受信することにより取得することもできる。
【００６６】
続いて、制御部３１０は、ステップＳ２０２で取得した画像形成条件に「低印字率」が含まれているか否かを判断する（ステップＳ２０３）。画像形成条件に「低印字率」が含まれる場合（ステップＳ２０３：ＹＥＳ）、制御部３１０は、「カラーの色再現」及び「モノクロの色再現」を全検査項目から除去して（ステップＳ２０４）、図６のステップＳ１０７の処理に進む。画像形成条件に「低印字率」が含まれると、「カラーの色再現」等を検査項目から除去するのは次の理由からである。たとえば、図９（ａ）に示すように、原画像データは、赤色に編集されたデータを含む文字のみから構成され、画像形成本体２００によりカラー印刷されている。上述したように、もっぱら情報伝達を目的とする文字のみからなる原画像に対して、「カラーの色再現」や「モノクロの色再現」を検査する必要がない。したがって、図９（ｂ）に示すように、たとえば、図５に示す検査項目の一覧から「色再現」の分類に含まれる検査項目を除去して検査を行い、検査結果を生成する。
【００６７】
一方、ステップＳ２０２で取得した画像形成条件に「低印字率」が含まれない場合（ステップＳ２０３：ＮＯ）、制御部３１０は、画像形成条件に「モノクロ印刷」が含まれているか否かを判断する（ステップＳ２０５）。
【００６８】
画像形成条件に「モノクロ印刷」が含まれる場合（ステップＳ２０５：ＹＥＳ）、制御部３１０は、「カラーの色再現」を全検査項目から除去して（ステップＳ２０６）、図６のステップＳ１０７の処理に進む。画像形成条件に「モノクロ印刷」を含まれると、「カラーの色再現」を検査項目から除去するのは次の理由からである。たとえば、図１０（ａ）に示すように、原画像データは、赤色に編集されたデータ（図において、括弧により囲んだ部分）を含むが、画像形成本体２００により原画像データの全体がモノクロ印刷されている。上述したように、画像形成条件に「モノクロ印刷」が含まれる場合、そもそもカラーがないので、「カラーの色再現」を検査する必要はない。したがって、図１０（ｂ）に示すように、たとえば、図５に示す検査項目の一覧から「カラーの色再現」の検査項目を除去して検査を行い、検査結果を生成する。
【００６９】
一方、画像形成条件に「モノクロ印刷」が含まれない場合（ステップＳ２０５：ＮＯ）、制御部３１０は、特段の処理を行わず、図６のステップＳ１０７の処理に進む。
【００７０】
以上のように、第１実施形態に係る画像形成装置１０によれば、画像形成時に確定される画像形成条件に基づいて検査項目を決定するため、より適切に検査項目を決定することができる。したがって、用紙に形成された画像の品質の判定の信頼性を向上できる。
【００７１】
上記の第１実施形態において、撮像部３４０は検査装置３００に設置され、検査装置３００は、画像形成本体２００との通信により画像形成条件を取得し、読取画像データの検査結果を画像形成本体２００にフィードバックする。ただし、第１実施形態はこれに限らず、撮像部３４０が画像形成本体２００内に設置され、制御部２１０により制御部３１０の機能を達成してもよい。あるいは、検査装置３００は、撮像部３４０のみを含み、撮像部３４０は、画像形成本体２００の制御部２１０により制御されてもよい。この場合、図３の制御部３１０は省略できる。
【００７２】
〔第２実施形態〕
上記第１実施形態では、用紙に画像を形成する際に確定される画像形成条件に基づいて、読取画像データを検査するための検査項目を決定し、決定した検査項目に基づいて、読取画像データを検査する画像形成装置を提供している。第２実施形態では、第１実施形態に係る画像形成装置を複数台含む画像形成装置群および該画像形成装置群を管理するサーバーを有する画像形成システムを提供する。
【００７３】
（画像形成システムの構成）
図１１は、画像形成システムの概略構成の一例を示す図である。画像形成システム１は、複数台の画像形成装置１０ａ〜１０ｎを含む画像形成装置群およびサーバー２０を有し、これらはネットワーク３０を介して相互通信可能に接続されている。サーバー２０は、各画像形成装置の情報（たとえば、各画像形成装置の実現可能な機能情報等）を一元管理（群管理）する。各画像形成装置は、サーバー２０の選択を受けて用紙上に画像を形成し、読取画像データを生成して検査を行い、検査結果をサーバー２０に送信する。各画像形成装置は、第１実施形態に係る画像形成装置１０と同様のものを使用でき、同様の機能を達成できる。このため、以下では、サーバー２０の構成および動作のみについて説明する。
【００７４】
（サーバー２０の構成）
図１２は、サーバー２０のハードウェア構成の一例を示すブロック図である。サーバー２０は、制御部２１、記憶部２２および通信部２３を有する。なお、記憶部２２および通信部２３は、第１実施形態に係る画像形成装置の画像形成本体２００の記憶部２２０および通信部２３０と同様の機能を有するので、説明の重複を避けるため、これらの説明を省略する。
【００７５】
制御部２１は、たとえば、ＣＰＵであり、プログラムに従って上記各構成要素の制御や各種の演算処理等を実行する。サーバー２０の各機能は、それに対応するプログラムを制御部２１が実行することにより発揮される。
【００７６】
制御部２１は、履歴作成部として、各画像形成装置の検査部による読取画像データの検査結果、および、当該検査結果に係る画像の画像形成条件を対応づけて、検査履歴を作成する。作成された検査履歴は、記憶部２２に記憶される。
【００７７】
図１３は、検査履歴のイメージを示す図である。検査履歴では、検査を実行した際の検査日時、画像形成装置、画像形成条件および検査結果などが対応づけられている。制御部２１は、各画像形成装置からの検査結果を受付けて、検査履歴を生成、更新し、最新の検査履歴を記憶部２２に記憶させる。なお、図１３では、画像形成条件の順に検査履歴を表している。ａ１〜ａ３は、画像形成装置１０ａの画像形成条件Ａにおける検査履歴であり、ｂ１〜ｂ３は、画像形成装置１０ｂの画像形成条件Ａにおける検査履歴である。また、ｃ１〜ｃ３は、画像形成装置１０ｃの画像形成条件Ａにおける検査履歴であり、ｄ１〜ｄ３は、画像形成装置１０ｄの画像形成条件Ａにおける検査履歴である。
【００７８】
制御部２１は、また、選択部として、新規な画像形成に係る新規な画像形成条件を取得し、新規な画像形成条件により画像形成を行った場合に最も良い検査結果が得られる画像形成装置を、検査履歴に基づいて選択する。
【００７９】
制御部２１は、さらに、選択された画像形成装置に、新規な画像形成条件による画像形成を指示する。
【００８０】
（サーバー２０の動作）
サーバー２０の動作について説明する。
【００８１】
図１４は、サーバー２０の動作フローチャートである。図１５は、サーバー２０により画像形成装置群から新規な画像形成条件により画像形成を行った場合に最も良い結果が得られる画像形成装置を選択するイメージを示す図である。以下、図１３、図１５を参照しながら、図１４の動作フローチャートに基づいて、サーバー２０の動作を詳細に説明する。
【００８２】
まず、制御部２１は、原画像データ及び印刷設定情報を受付ける（ステップＳ３０１）。制御部２１は、たとえば、図１５に示すように、クライアント端末装置から原画像のＰＤＬデータ及びユーザーにより設定される各種の印刷設定情報を受付ける。制御部２１は、また、ユーザーにより設定される各種の印刷設定情報および群管理している各画像形成装置の情報に基づいて、新規な画像形成に係る新規な画像形成条件を取得する。
【００８３】
続いて、制御部２１は、検査履歴を参照して（ステップＳ３０２）、画像形成装置を選択する（ステップＳ３０３）。具体的には、制御部２１は、ステップＳ３０１で取得した新規な画像形成条件により画像形成を行った場合に最も良い検査結果が得られる画像形成装置を選択する。制御部２１は、たとえば、新規な画像形成条件（以下、画像形成条件Ａという）を取得すると、図１３の検査履歴を参照して、画像形成条件Ａにより画像形成を行ったことのある画像形成装置１０ａ〜１０ｄから一つを選択する。
【００８４】
画像形成装置を選択する方法の一例について説明する。制御部２１は、たとえば、検査履歴に基づいて、新規な画像形成条件と同一の条件により画像形成を行ったことのある画像形成装置のうち、不良の検査結果の頻度が最も低い画像形成装置を選択する。たとえば、図１３の検査履歴において、画像形成条件Ａにおける画像形成装置１０ａの検査履歴（ａ１〜ａ３）では、良好な検査結果が２回（ａ１、ａ２）で、不良の検査結果が１回（ａ３）である。一方、同様の画像形成条件Ａにおける画像形成装置１０ｂの検査履歴（ｂ１〜ｂ３）では、良好な検査結果が１回（ｂ２）で、不良の検査結果が２回（ｂ１、ｂ３）である。画像形成条件Ａにおける画像形成装置１０ａと画像形成装置１０ｂとの検査履歴を比較すれば、画像形成装置１０ａの不良の検査結果の頻度が低い。このため、制御部２１は、新規な画像形成条件が画像形成条件Ａである場合には、画像形成装置１０ａを選択する。
【００８５】
画像形成装置を選択する方法の他の一例について説明する。制御部２１は、たとえば、検査履歴に基づいて、新規な画像形成条件と同一の条件により画像形成を行ったことのある画像形成装置のうち、直近の検査結果に不良のない画像形成装置を選択する。たとえば、図１３の検査履歴において、画像形成条件Ａにおける画像形成装置１０ａおよび画像形成装置１０ｃの検査履歴（ａ１〜ａ３、ｃ１〜ｃ３）では、いずれも良好な検査結果が２回で、不良の検査結果が１回である。しかし、不良の検査結果が得られたタイミングは、画像形成装置１０ａでは、直近の検査の際（検査履歴ａ３）であり、画像形成装置１０ｃでは、直近から２回前の検査の際（検査履歴ｃ１）である。画像形成条件Ａにおける画像形成装置１０ａと画像形成装置１０ｃとの検査履歴を比較すれば、画像形成装置１０ｃの直近の検査結果に不良がない。このため、制御部２１は、新規な画像形成条件が画像形成条件Ａである場合には、画像形成装置１０ｃを選択する。
【００８６】
画像形成装置を選択する方法のさらに他の一例について説明する。制御部２１は、たとえば、検査履歴に基づいて、新規な画像形成条件と同一の条件により画像形成を行ったことがあり、かつ、検査結果に不良のない画像形成装置のうち、最新の履歴を有する画像形成装置を選択する。たとえば、図１３の検査履歴において、画像形成条件Ａにおける画像形成装置１０ｃおよび画像形成装置１０ｄの検査履歴（ｃ１〜ｃ３、ｄ１〜ｄ３）では、いずれも良好な検査結果が２回で、不良の検査結果が１回である。また、画像形成装置１０ｃおよび画像形成装置１０ｄの直近の検査履歴（ｃ３、ｄ３）は、いずれも良好な検査結果である。しかし、画像形成装置１０ｄの直近の検査履歴ｄ３は、画像形成装置１０ｃの検査履歴ｃ３よりも新しい検査履歴（検査日時がより近い）である。画像形成条件Ａにおける画像形成装置１０ｃと画像形成装置１０ｄとの検査履歴を比較すれば、画像形成装置１０ｄの良好な検査結果を有する検査履歴ｄ３がより最新の履歴である。このため、制御部２１は、新規な画像形成条件が画像形成条件Ａである場合には、画像形成装置１０ｄを選択する。
【００８７】
制御部２１は、また、上述した各種の画像形成装置の選択方法を組合せることによって画像形成装置を選択できる。
【００８８】
図１４のフローチャートの説明に戻って、制御部２１は、ステップＳ３０３で選択された画像形成装置に、ステップＳ３０１で取得した新規な画像形成条件による画像形成を指示する（ステップＳ３０４）。具体的には、制御部２１は、ステップＳ３０３で選択された画像形成装置に、原画像データ及び印刷設定情報を送信し、新規な画像形成条件による画像形成を指示する。図１５に示すように、制御部２１は、画像形成条件に応じて画像形成装置を選択する。選択された画像形成装置は、図６の動作フローチャートに従って処理を進み、検査結果を生成する。各画像形成装置により生成した検査結果は、制御部２１に送信される。
【００８９】
続いて、制御部２１は、各画像形成装置からの検査結果を受信し（ステップＳ３０５）、検査履歴を更新する（ステップＳ３０６）。制御部２１は、たとえば、図１５に示すように、各画像形成装置からの検査結果を受信し、画像形成条件と検査結果を対応づけながら当該検査を実行した画像形成装置および検査日時などの情報を付加して、図１３の検査履歴を更新する。
【００９０】
以上のように、第２実施形態に係る画像形成システム１によれば、サーバー２０は各画像形成装置を群管理し、画像形成条件および検査結果が対応づけられる検査履歴に基づいて、新規な画像形成条件により画像形成する画像形成装置を選択する。このため、各画像形成装置の稼働率を最大限に高めることができ、生産性と品質を両立した効率的な画像形成装置の管理を可能にする。
【００９１】
上記各実施形態においては、画像形成装置やサーバーの動作をソフトウェアにより実行する場合について説明した。しかし、全ての処理をソフトウェアにより実現せずに、一部を専用のハードウェア回路によって実現してもよし、複数のハードウェアで実行されてもよい。
【００９２】
また、画像形成装置およびサーバーを動作させるプログラムは、ＵＳＢメモリー、フレキシブルディスク、ＣＤ−ＲＯＭ等のコンピュータ読み取り可能な記録媒体によって提供されてもよいし、インターネット等のネットワークを介してオンラインで提供されてもよい。また、このプログラムは、たとえば、単独のアプリケーションソフトとして提供されてもよいし、画像形成装置およびサーバーの一機能としてソフトウェアに組み込んでもよい。
【００９３】
以上、本発明の好適な実施形態を説明したが、これらは本発明の説明のための例示であり、本発明の範囲をこれらの実施形態にのみ限定する趣旨ではない。本発明は、その要旨を逸脱しない範囲で、上記実施形態とは異なる種々の態様で実施できる。
【符号の説明】
【００９４】
１  画像形成システム、
１０、１０ａ、１０ｎ  画像形成装置、
２０  サーバー、
２１、２１０、３１０  制御部、
２２、２２０、３２０  記憶部、
２３、２３０、３３０  通信部、
３０  ネットワーク、
１００  給紙装置、
２００  画像形成本体、
２４０  画像形成部、
３００  検査装置、
３４０  撮像部。
【図１】
2019168731.tif 000003
【図２】
2019168731.tif 000004
【図３】
2019168731.tif 000005
【図４】
2019168731.tif 000006
【図５】
2019168731.tif 000007
【図６】
2019168731.tif 000008
【図７】
2019168731.tif 000009
【図８】
2019168731.tif 000010
【図９】
2019168731.tif 000011
【図１０】
2019168731.tif 000012
【図１１】
2019168731.tif 000013
【図１２】
2019168731.tif 000014
【図１３】
2019168731.tif 000015
【図１４】
2019168731.tif 000016
【図１５】
2019168731.tif 000017
【手続補正書】
【提出日】令和1年7月17日(2019.7.17)
【手続補正１】
【補正対象書類名】特許請求の範囲
【補正対象項目名】全文
【補正方法】変更
【補正の内容】
【特許請求の範囲】
【請求項１】
記録材上に形成された画像を読み取って読取画像データを生成する読取部と、
前記記録材に画像を形成する際の画像形成条件を取得する取得部と、
前記取得部により取得した前記画像形成条件にモノクロ印刷が含まれている場合、複数の検査項目のうちモノクロ印刷に対して不必要な検査項目を除いて前記読取画像データを検査するための検査項目を決定する決定部と、
前記決定部により決定した前記検査項目に基づいて、前記読取画像データを検査する検査部と、
を有する検査装置。
【請求項２】
前記決定部は、前記取得部により取得した前記画像形成条件にモノクロ印刷が含まれている場合、複数の検査項目のうちカラーの色再現を除いて前記読取画像データを検査するための検査項目を決定する請求項１に記載の検査装置。
【請求項３】
前記画像形成条件は、前記画像を形成するための原画像データをラスタライズ処理することによって確定される請求項１または２に記載の検査装置。
【請求項４】
前記画像形成条件は、印刷設定情報に基づいて確定される請求項１または２に記載の検査装置。
【請求項５】
記録材上に画像を形成する画像形成部と、
前記記録材上に形成された前記画像を読み取って読取画像データを生成する読取部と、
前記記録材に画像を形成する際に確定される画像形成条件を取得する取得部と、
前記取得部により取得した前記画像形成条件にモノクロ印刷が含まれている場合、複数の検査項目のうちモノクロ印刷に対して不必要な検査項目を除いて前記読取画像データを検査するための検査項目を決定する決定部と、
前記決定部により決定した前記検査項目に基づいて、前記読取画像データを検査する検査部と、
を有する画像形成装置。
【請求項６】
前記画像形成条件は、前記画像を形成するための原画像データをラスタライズ処理することによって確定される請求項５に記載の画像形成装置。
【手続補正２】
【補正対象書類名】明細書
【補正対象項目名】０００８
【補正方法】変更
【補正の内容】
【０００８】
（１）記録材上に形成された画像を読み取って読取画像データを生成する読取部と、前記記録材に画像を形成する際に確定される画像形成条件を取得する取得部と、前記取得部により取得した前記画像形成条件モノクロ印刷が含まれている場合、複数の検査項目のうちモノクロ印刷に対して不必要な検査項目を除いて前記読取画像データを検査するための検査項目を決定する決定部と、前記決定部により決定した前記検査項目に基づいて、前記読取画像データを検査する検査部と、を有する検査装置。
【手続補正３】
【補正対象書類名】明細書
【補正対象項目名】０００９
【補正方法】変更
【補正の内容】
【０００９】
（２）前記決定部は、前記取得部により取得した前記画像形成条件にモノクロ印刷が含まれている場合、複数の検査項目のうちカラーの色再現を除いて前記読取画像データを検査するための検査項目を決定する上記（１）に記載の検査装置。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】変更
【補正の内容】
【００１１】
（３）前記画像形成条件は、前記画像を形成するための原画像データをラスタライズ処理することによって確定される上記（１）または上記（２）に記載の検査装置。
（４）前記画像形成条件は、印刷設定情報に基づいて確定される上記（１）または上記（２）に記載の検査装置。
【手続補正６】
【補正対象書類名】明細書
【補正対象項目名】００１２
【補正方法】変更
【補正の内容】
【００１２】
（５）記録材上に画像を形成する画像形成部と、前記記録材上に形成された前記画像を読み取って読取画像データを生成する読取部と、前記記録材に画像を形成する際に確定される画像形成条件を取得する取得部と、前記取得部により取得した前記画像形成条件にモノクロ印刷が含まれている場合、複数の検査項目のうちモノクロ印刷に対して不必要な検査項目を除いて前記読取画像データを検査するための検査項目を決定する決定部と、前記決定部により決定した前記検査項目に基づいて、前記読取画像データを検査する検査部と、を有する画像形成装置。
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】変更
【補正の内容】
【００１５】
（６）前記画像形成条件は、前記画像を形成するための原画像データをラスタライズ処理することによって確定される上記（５）に記載の画像形成装置。
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】